(57)【特許請求の範囲】
【請求項１】
迅速照準器のレッドドットサイトの構造で、平面の接眼レンズと凹面の対物レンズを含み、該接眼レンズは該凹面の対物レンズに対して傾斜角を呈し、該接眼レンズと該対物レンズ間においてドットライトを発し、該ドットライトは該接眼レンズに照射し、これによりドットライトは該接眼レンズにより反射され、虚偽のドットライトが該対物レンズの主軸上に形成され、しかも該虚偽のドットライトは該対物レンズの焦点上に位置し、こうして虚偽のドットライトを利用し該対物レンズに投射後続けて平行射出され、遠い所からレッドドットが平行に入射する状況を模擬することを特徴とするレッドドットサイトの構造。
【請求項２】
前記接眼レンズ下表面には赤色光だけが反射可能な反射メッキ膜をメッキし、かつ該接眼レンズ下表面の反射メッキ膜を通して赤色光が反射する比率を制限することができ、また、該接眼レンズ上表面には高透過メッキ膜をメッキし、かつ該接眼レンズ上表面の高透過メッキ膜は該接眼レンズ上表面に照射するライトの赤色光を完全に射出することを特徴とする請求項１記載のレッドドットサイトの構造。
【請求項３】
迅速照準器のレッドドットサイトの照準方法で、平面の接眼レンズと凹面の対物レンズを含み、該接眼レンズは該凹面の対物レンズに対して傾斜角を呈し、該接眼レンズと該対物レンズ間においてドットライトを発し、該ドットライトは該接眼レンズに照射し、これによりドットライトは該接眼レンズにより反射され、虚偽のドットライトが該対物レンズの主軸上に形成され、しかも該虚偽のドットライトは該対物レンズの焦点上に位置し、こうして虚偽のドットライトを利用し該対物レンズに投射後続けて平行射出され、遠い所からレッドドットが平行に入射する状況を模擬することを特徴とするレッドドットサイトの照準方法。
【発明の詳細な説明】
【技術分野】
【０００１】
本発明は一種のレッドドットサイトの装置及び照準方法に関する。特に一種の虚偽のドットライトを利用し、対物レンズに投射後続けて平行に射出され、こうして遠い所からドットライトが平行に入射する状況を模擬し、照準器はレッドドットサイトの標示の効果を達成し、接眼レンズと対物レンズ表面にはメッキ技術により反射ドットライトの赤色光のパーセンテージを制御可能で、照準器の長さを短縮可能で、対物レンズを大きくし、赤色光（ライト）が正確に投射されるレッドドットサイトの装置及び照準方法に係る。
【背景技術】
【０００２】
一般に銃器に使用される照準器はレッドドットサイトとオープンサイトの２種に分けられ、使用者が短時間に迅速で適格に敵の致命点に照準を合わせ攻撃する必要がある近距離での遭遇戦において使用される。
市場で見られるオープンサイト照準器はレーザー指標器が発する赤色光を直接敵の身体に照射し、使用者の銃口が敵の致命点に照準を合わせているかどうかを直ちに知ることができるものである。この種の方式は迅速に照準を合わせ打撃を行うことができるという効果を具えるが、その欠点は使用者自身の位置、動きを簡単に暴露してしまうことで、周囲が明るい時には、オープンサイトが発する赤色光は見にくく、使用者は赤色光が照射する位置を識別できなくなってしまうという短所もある。
【０００３】
そのため、ドットサイト照準器が開発された。該構造の長所は周囲が明るいことや敵に赤色光を見られる恐れがないことである。
図４、５に示すように、公知のドットサイト照準器の原理は、遠方からレッドドットが平行に射出されたと模擬するもので、該レッドドットサイトは円弧R角を具えた凹レンズＡを利用し、該凹レンズＡの円心Ｃを主軸線上に位置させ、焦点Ｆは円心Ｃと凹レンズＡの距離の半分の距離に位置させる。該レッドドットが該焦点Ｆより該凹レンズＡに向かって照射されると、その光線は該凹レンズＡを経由し反射し主軸上より平行に射出され、入射角＝反射角を満たす。これにより使用者の目は遠方より標的に類似した模擬レッドドットを認識することができるようになる。
使用者が該凹レンズＡを目視した時、自身の目の位置に対応する模擬レッドドットを目にし、これによりレッドドットサイトを具えた照準器Ｂを形成する。こうして使用者は敵の致命点に迅速に照準を合わせることができ、自身の動きが露出することを恐れる必要はなくなる。
しかし、この種の構造には使用時に以下のような欠点が存在する。
銃器にレッドドット照準器Ｂを装置後、使用者は目を該凹レンズＡに近づけ、該凹レンズＡに反射する模擬レッドドットを探さなければならないが、一般の凹レンズＡが反射する光線は、主軸に非常に接近した光線でなければ、平行に射出されず、さもなくば模擬レッドドットの効果を発揮することはできない。もし使用者が該凹レンズＡのエッジを見ている時、その凹レンズＡのエッジは平行には射出されず、模擬レッドドットが結ぶ像は変形してしまう。該凹レンズＡの直径が小さいほど、その光線が平行に射出される範囲は小さくなり、視野全体の範囲は非常に狭い区域に制限されてしまうため、全体的視野を広くするために、該凹レンズＡの直径を大きくする必要が生じる。
しかし、前記凹レンズＡの直径を大きくすると、凹レンズＡの焦点Ｆも相対的に遠くなってしまうため、光源と凹レンズＡ間の距離が長くなってしまう(図５参照)。これでは、レッドドットサイト照準器Ｂ全体も長くなってしまい、銃器の重量を重くしてしまう。
【０００４】
さらに、別にレーザー投影の方式を利用しレッドドットサイトの目的を達成する構造では、レーザーダイオードが発する光線を利用し、多数回の反射により像を結ぶ目的を達成する。
この種の方式は極めて精密な調整を必要とし、それによって初めて像を結ぶことができるもので、使用するガラス部材の数も非常に多いため、全体的コストは高騰してしまう。さらに、この種のレッドドットサイト照準器を不注意でぶつける或いは落としてしまった場合には、レーザー赤色光の反射角度は偏移し、像を結ぶことができなくなる。しかもレーザーは人の目を傷つけ易いという欠点もあるため、該構造も改善が望まれる。
【特許文献１】実公平４−４２８１２号公報
【発明の開示】
【発明が解決しようとする課題】
【０００５】
前述したように、公知構造には以下の欠点があった。
すなわち、従来公知の銃器に使用される照準器にはレッドドットサイト、オープンサイト、レーザー投影方式があるが、オープンサイト照準器には自身の位置、動きを簡単に暴露してしまい、周囲が明るい時にはオープンサイトが発する赤色光が見難いという欠点がある。さらに、公知のドットサイト照準器は、全体的視野を広くするためには凹レンズの直径を大きくする必要があり、それにより凹レンズの焦点も遠くなり、光源と凹レンズ間の距離が長くなってしまう。その結果、該レッドドットサイト照準器が長くなり、銃器の総重量を重くしてしまう。また、レーザー投影方式によるレッドドットサイト照準器は極めて精密な調整を必要とするため使用するガラス部材の数も非常に多く全体的に高価である。さらに衝撃を受けると、レーザー赤色光の反射角度が偏移し像を結ぶことができなくなり、またレーザーは人の目を傷つける恐れがあるという欠点も存在する。
本発明は、上記構造の問題点に鑑みてなされたもので、照準器の長さを短縮し、且つ、対物レンズを大きくすることが可能で、しかも、結ばれた像の歪曲やピン呆けが起こらないレッドドットサイトの構造及び照準方法を提供するものである。
【課題を解決するための手段】
【０００６】
上記課題を解決するため、本発明は下記のレッドドットサイトの装置及び照準方法を提供する。
それは主に平面の接眼レンズと凹面の対物レンズ間においてドットライトを発し、該ドットライトは該接眼レンズに照射し、該ドットライトは該接眼レンズにより反射され、虚偽のドットライトを該対物レンズの焦点上に形成し、虚偽のドットライトを利用し、対物レンズに投射後続けて平行に射出され、こうして遠い所からドットライトが平行に入射する状況を模擬し、照準器はレッドドットサイトの標示の効果を達成し、対物レンズの直径を大きくした時、発光部品のドットライトの位置を調整するだけで、反射される虚偽のドットライトは該対物レンズの焦点上に位置し、その光線は平行に射出される範囲はさらに大きくなり、こうして対物レンズの全体的視野をさらに広くし、同時に照準器の長さを短縮し、接眼レンズと対物レンズの表面にはメッキ技術により反射ドットライトの赤色光のパーセンテージを制御可能で、ドットライトはさらに正確に投射されることを特徴とするレッドドットサイトの装置及び照準方法である。
【０００７】
すなわち、請求項１の発明は、迅速照準器のレッドドットサイトの構造で、平面の接眼レンズと凹面の対物レンズを含み、該接眼レンズは該凹面の対物レンズに対して傾斜角を呈し、該接眼レンズと該対物レンズ間においてドットライトを発し、該ドットライトは該接眼レンズに照射し、これによりドットライトは該接眼レンズにより反射され、虚偽のドットライトが該対物レンズの主軸上に形成され、しかも該虚偽のドットライトは該対物レンズの焦点上に位置し、こうして虚偽のドットライトを利用し該対物レンズに投射後続けて平行射出され、遠い所からレッドドットが平行に入射する状況を模擬することを特徴とするレッドドットサイトの構造である。
請求項２の発明は、前記接眼レンズ下表面には赤色光だけが反射可能な反射メッキ膜をメッキし、かつ該接眼レンズ下表面の反射メッキ膜を通して赤色光が反射する比率を制限することができ、また、該接眼レンズ上表面には高透過メッキ膜をメッキし、かつ該接眼レンズ上表面の高透過メッキ膜は該接眼レンズ上表面に照射するライトの赤色光を完全に射出することを特徴とする請求項１記載のレッドドットサイトの構造である。
請求項３の発明は、迅速照準器のレッドドットサイトの照準方法で、平面の接眼レンズと凹面の対物レンズを含み、該接眼レンズは該凹面の対物レンズに対して傾斜角を呈し、該接眼レンズと該対物レンズ間においてドットライトを発し、該ドットライトは該接眼レンズに照射し、これによりドットライトは該接眼レンズにより反射され、虚偽のドットライトが該対物レンズの主軸上に形成され、しかも該虚偽のドットライトは該対物レンズの焦点上に位置し、こうして虚偽のドットライトを利用し該対物レンズに投射後続けて平行射出され、遠い所からレッドドットが平行に入射する状況を模擬することを特徴とするレッドドットサイトの照準方法である。
【発明の効果】
【０００８】
上記のように、本発明によれば、発光部品は接眼レンズと対物レンズ間にドットライトを接眼レンズ位置まで投射し、接眼レンズが生じる反射により、虚偽のドットライトを対物レンズの焦点上に形成し、さらに、虚偽のドットライトが対物レンズに投射された後平行に射出されることを利用しているので、照準器全体の長さを短縮可能である。
さらに、接眼レンズと対物レンズ表面においてメッキ技術により所望の反射率及び透過率になるようにすれば、反射ドットライトの赤色光のパーセンテージを制御することができるので、照準器の長さを短縮しながら対物レンズを大きくすることが可能で、かつ結ばれた像の歪曲やピン呆けは起こらない。
したがって、小型で、コストは低く、かつ光源は正確に投射されるレッドドットサイトとすることができる。
【発明を実施するための最良の形態】
【０００９】
本発明のレッドドットサイトの装置及び照準方法の好適な実施例を図面を参照して説明する。
図１、２に示すように、本発明の実施例は、照準器４内に接眼レンズ１、対物レンズ２を設置し、発光部品３は該接眼レンズ１と該対物レンズ２の間から光を発する。
前記接眼レンズ１は平面レンズで、前記対物レンズ２は凹レンズで、該接眼レンズ１は該対物レンズ２に向かい傾斜状態を呈する。前記発光部品３が発するドットライトは該接眼レンズ１に向かい射出される時、「入射角＝反射角」により該発光部品３のドットライトは該接眼レンズ１が生じる反射により虚偽のドットライトを該対物レンズ２の主軸上に形成する。しかも該発光部品３のドットライトから該接眼レンズ１までの距離はちょうど虚偽のドットライトから該接眼レンズ１までの距離に等しい。
こうして、虚偽の赤色の点であるドットライトは、ちょうど該対物レンズ２の焦点Ｆ上に浮かぶように写る。さらに、虚偽のドットライトを通して、光線を該対物レンズ２に投射後続けて平行に射出し、上記構造配置により、実際の発光部品３が発するドットライトを該対物レンズ２の焦点Ｆ上に模擬し、さらに虚偽のドットライトを通して該対物レンズ２上に投射後平行に射出する。
したがって、使用者にとっては、非常に遠い所からレッドドットが平行に入射するのを目にする状況を模擬し、照準器のレッドドットサイトの目的を達成する。また、この構造設計により、該照準器４の長さは、該接眼レンズ１から該対物レンズ２までの距離を必要とするだけで、該発光部品３は該接眼レンズ１と該対物レンズ２の間に設置すれば良く、該照準器４の全体的長さを短縮することができる。
【００１０】
上記二重投射の効果に対応するため、該接眼レンズ１下表面(傾斜状態の下側片面)に該対物レンズ２に向かうよう反射メッキ膜１１をメッキすることができる。該反射メッキ膜１１は該発光部品３が発する赤色光だけを反射可能で、該赤色光の波長は６３５nmである。該反射メッキ膜１１を通して該赤色光が反射する光の比率を制限することができる。
前記対物レンズ２の凹面には全反射メッキ膜２１をメッキし、また該接眼レンズ１上表面(傾斜状態の上側片面)には高透過メッキ膜１２をメッキする。
図３に示すように、赤色光ＬＥＤ等の前記発光部品３が発する光が該接眼レンズ１に照射する時、該接眼レンズ１の反射メッキ膜１１を通して該赤色光の５０％は該対物レンズ２に反射させる。残りの５０％は該接眼レンズ１上表面の高透過メッキ膜１２により射出される。
よって、５０％の赤色光が該接眼レンズ１から該対物レンズ２に反射される時、該対物レンズ２上の全反射メッキ膜２１を通して該赤色光を全部反射し、かつ該接眼レンズ１へと平行に射出する。同様に全反射５０％の赤色光の２５％の赤色光は該反射メッキ膜１１により反射され、残りの２５％の赤色光は平行に射出される。光は直線運動を行うため、平行に射出された２５％の赤色光は人の目に受け入れられ、こうして非常に遠い所から赤色光が平行に入射する状況を模擬することができる。
【００１１】
本発明の実施例は、前記接眼レンズ１と前記対物レンズ２の二重反射効果を利用し、先ず、発光部品３が発するドットライトを該接眼レンズ１を通して虚偽のドットライトとして反射し、該虚偽のドットライトの位置は該対物レンズ２の焦点Ｆ上にちょうど位置する。こうして、虚偽のドットライトは該対物レンズ２の凹面位置に設置され、光線は平行に射出される。さらに、該接眼レンズ１と該対物レンズ２のメッキ技術により反射率や透過率を変えれば、ドットライト反射の赤色光のパーセンテージを適切な光量に容易に制御可能で、すなわち、赤色光の反射や透過する比率を制限すれば、使用者に対して、対物レンズ２を透過する遠くからの背景とともに、非常に遠い所からレッドドットが平行に入射するのを目にする状況を模擬し、該照準器４のレッドドットを標示する効果を達成する。
上記のような構造により、該接眼レンズ１と該対物レンズ２を該照準器４内に配置し、該発光部品３は該接眼レンズ１と該対物レンズ２間に設置し、虚偽のドットライト投射を当して、該照準器４全体の長さを短縮することができる。該対物レンズ２の直径を大きくする時には、該発光部品３のドットライト位置を調整するだけで、該反射の虚偽光源は該対物レンズ２の焦点Ｆ上に位置し、その光線が射出する範囲はいっそう大きくなる。
こうして、全体的視野を大きく広げ、結ばれた像の歪曲やピン呆けは起こらない。すなわち、該照準器４の長さを短縮し、該対物レンズ２を大きくしながらコストは低く、かつ光源は正確に投射される。
なお、本発明の特徴を損なうものでなければ、上記実施例に限定されるものでないことは勿論であり、例えば、接眼レンズ１と対物レンズ２の反射率或いは透過率を上記の数値以外のものでもよい。
【図面の簡単な説明】
【００１２】
【図１】本発明の実施例の側面指示図である。
【図２】本発明の実施例の使用指示図一である。
【図３】本発明の実施例の使用指示図二である。
【図４】公知構造の使用指示図一である。
【図５】公知構造の使用指示図二である。
【符号の説明】
【００１３】
１  接眼レンズ
１１  反射メッキ膜
１２  高透過メッキ膜
２  対物レンズ
２１  全反射メッキ膜
３  発光部品
４  照準器
Ａ  凹レンズ
Ｂ  照準器
【図１】
0004402050.tif 000002
【図２】
0004402050.tif 000003
【図３】
0004402050.tif 000004
【図４】
0004402050.tif 000005
【図５】
0004402050.tif 000006